(57)【要約】【課題】  本発明は、蛍光体の大きな変形や、蛍光体表面の亀裂の発生を防ぐことによって、蛍光体の寿命を長くすることが可能な光源光学系及び画像表示装置の提供を目的としている。【解決手段】  光源からの光束を波長変換素子に導く光源光学系であって、前記光源光学系が前記光源からの光束を用いて前記波長変換素子に形成する光強度分布が、最も高い光強度の６０％以上１００％以下の領域の面積が、１０％以上１００％以下の領域の面積の８０％以下の面積となるような分布である、ことを特徴としている。【選択図】  図１
2017215496.tif 000002
【特許請求の範囲】
【請求項１】
光源からの光束を波長変換素子に導く光源光学系であって、
前記光源光学系が前記光源からの光束を用いて前記波長変換素子に形成する光強度分布が、最も高い光強度の６０％以上１００％以下の領域の面積が、１０％以上１００％以下の領域の面積の８０％以下の面積となるような分布である、
ことを特徴とする光源光学系。
【請求項２】
光源からの光束を波長変換素子に導く光源光学系であって、
複数の第１のレンズ面を含み、前記光源からの光束を複数の部分光束に分割する第１のレンズ面アレイと、
前記複数の部分光束を前記波長変換素子に導く、正のパワーを有する集光光学系と、
を備え、
前記第１のレンズ面アレイの像の位置は、前記波長変換素子からずれている、
ことを特徴とする光源光学系。
【請求項３】
前記第１のレンズ面アレイと前記集光光学系との間に配置され、前記複数の第１のレンズ面に対応する複数の第２のレンズ面を有する第２のレンズ面アレイを備え、
前記第２のレンズ面アレイ及び前記集光光学系による、前記第１のレンズ面の像の位置が、前記波長変換素子からずれている、ことを特徴とする請求項２に記載の光源光学系。
【請求項４】
前記第１のレンズ面の像の位置と前記波長変換素子の位置との差は、前記集光光学系の焦点距離の１％以上である、ことを特徴とする請求項３に記載の光源光学系。
【請求項５】
前記第２のレンズ面アレイからの光束を、前記集光光学系を介して前記波長変換素子に導く導光面と、を備え、
前記導光面の法線と平行で前記集光光学系の光軸を含む断面での前記集光光学系の光軸と直交する方向において、前記導光面の幅は前記集光光学系の幅よりも狭い、
ことを特徴とする請求項３又は４に記載の光源光学系。
【請求項６】
前記集光光学系の焦点距離を前記集光光学系から前記導光面に導かれる光束の光束径で除した値を蛍光光路のＦナンバーとし、前記集光光学系の焦点距離を前記第２のレンズ面アレイから前記導光面に導かれる光束の光束径で除した値を励起光路のＦナンバーとするとき、
前記励起光路のＦナンバーは前記蛍光光路のＦナンバーよりも大きい、
ことを特徴とする請求項５に記載の光源光学系。
【請求項７】
前記蛍光光路のＦナンバーをＦｐｈｏｓとし、前記励起光路のＦナンバーをＦＬＤとするとき、
【数１】
2017215496.tif 000018
を満足することを特徴とする請求項６に記載の光源光学系。
【請求項８】
前記第２のレンズ面の数をＮとし、前記第２のレンズ面の焦点距離をｆＬＡとし、前記第２のレンズ面の面積をＳＬＡとするとき、
【数２】
2017215496.tif 000019
を満足することを特徴とする請求項５乃至７のいずれか一項に記載の光源光学系。
【請求項９】
前記導光面と、前記波長変換素子からの光束を波長に依らずに透過させる透過面とを有する導光素子をさらに備え、
前記導光面は、前記光源からの光束を反射して前記波長変換素子に導くとともに、前記波長変換素子からの光束のうち前記光源からの光束とは波長が異なる光束を前記光源とは異なる方向に透過させるダイクロイック面である、
ことを特徴とする請求項５乃至８のいずれか一項に記載の光源光学系。
【請求項１０】
前記導光面と、前記波長変換素子からの光束を波長に依らずに反射する反射面とを有する導光素子をさらに備え、
前記導光面は、前記光源からの光束を透過させて前記波長変換素子に導くとともに、前記波長変換素子からの光束のうち前記光源からの光束とは波長が異なる光束を反射して前記光源とは異なる方向に導くダイクロイック面である、
ことを特徴とする請求項５乃至８のいずれか一項に記載の光源光学系。
【請求項１１】
光源と、
前記光源からの光束の進行方向に設けられた正レンズと、
波長変換素子と、
前記正レンズから出射した光束を前記波長変換素子に導く、請求項１乃至１０のいずれか一項に記載の光源光学系と、
光変調素子と、
前記波長変換素子から出射した光束を用いて前記光変調素子を照明する照明光学系と、
を備える、ことを特徴とする投射型表示装置。
【請求項１２】
前記光変調素子を複数備えており、
更に、前記照明光学系からの光束を波長に応じて分割した上で前記複数の光変調素子に導くとともに、前記複数の光変調素子からの光束を合成する色分離合成系と、
を備えることを特徴とする請求項１１に記載の投射型表示装置。
【発明の詳細な説明】
【技術分野】
【０００１】
本発明は、光源光学系およびこれを用いた画像表示装置に関する。
【背景技術】
【０００２】
近年、高出力レーザーダイオード（以後、ＬＤ）から発する光束を励起光として蛍光体の一部の領域に照射し、波長変換された蛍光光を光源光として用いるプロジェクターが開発されている（特許文献１、２）。
【０００３】
このようなプロジェクターでは、ＬＤの個数を増やすなどの方法で励起光の輝度を高めることにより、投射画像の明るさを向上させることが可能である。
【先行技術文献】
【特許文献】
【０００４】
【特許文献１】特開２０１２−０４７９９６号公報
【特許文献２】特開２０１６−０７１１２８号公報
【発明の概要】
【発明が解決しようとする課題】
【０００５】
しかしながら、投射画像の明るさを上げるために蛍光体への入射光の強度を高めると、蛍光体面上の一部の領域にのみ形成される光源スポットの光密度が高くなる。この光密度の差によって生じる蛍光体の温度分布によって、蛍光体が変形したり、蛍光体表面に亀裂が入ったりし、蛍光体の波長変換効率が低下してしまう可能性がある。
【０００６】
そこで、本願発明は、蛍光体の大きな変形や、蛍光体表面の亀裂の発生を防いで、蛍光体を長寿命化させることが可能な光源光学系及び画像表示装置の提供を目的としている。
【課題を解決するための手段】
【０００７】
本願発明の光源光学系は、上記課題を解決するために、光源からの光束を波長変換素子に導く光源光学系であって、前記光源光学系が前記光源からの光束を用いて前記波長変換素子（上）に形成する光強度分布が、最も高い光強度の６０％以上１００％以下の領域の面積が、１０％以上１００％以下の領域の面積の８０％以下の面積となるような分布である、ことを特徴としている。
【発明の効果】
【０００８】
本発明によれば、蛍光体を長寿命化させることが可能な光源光学系及び画像表示装置を提供することができる。
【図面の簡単な説明】
【０００９】
【図１】本発明の第１実施例で示す光源装置の構成説明図
【図２】ダイクロイックミラーの構成説明図
【図３】レンズアレイによるレーザー光束の均一化を示す図
【図４】光束径の定義を示す図
【図５】本発明の第１実施例で用いるレンズアレイと光源像の関係説明図
【図６】アフォーカル系を通ることによる角度ばらつきの変化を示す図
【図７】励起光路と蛍光光路のＦナンバーの関係を示す図
【図８】蛍光体上の輝度分布を示す図
【図９】本発明の第２実施例で示す光源装置の構成説明図
【図１０】本発明の各実施例で示す光源装置を搭載可能なプロジェクターの構成説明図
【発明を実施するための形態】
【００１０】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１１】
以下に、本発明の実施の形態を添付の図面に基づいて詳細に説明する。
【００１２】
〔第１実施例〕
（光源光学系および光源装置について）
図１は、本発明の第１実施例としての光源装置の構成を示す構成図である。図１に記載した軸（方向）の定義について説明する。まず、Ｘ軸方向は、後述の集光レンズユニット８の光軸と平行な方向である。次にＹ軸方向は、Ｘ軸方向と垂直で、且つ励起光源と蛍光体（２次光源、蛍光光源）との間に配置された後述のダイクロイックミラー７の法線とも垂直な方向（軸）である。最後に、Ｚ軸方向はＸ軸方向およびＹ軸方向の両者に対して垂直な方向（軸）である。つまり、図１は、図面内に図示されている座標軸にあるようにＸＺ断面の図になっている。
【００１３】
本実施例で示す光源装置は、光源（レーザーダイオード）１と、光源１から出射した各々の光束を平行光束（略平行光束）に変換するコリメータレンズ２と、入射光の波長を変換する蛍光体９と、光源光学系とを備えている。
【００１４】
ここで、蛍光体９は、蛍光体の結晶、或いは蛍光材料（小さな蛍光体、粉末状の蛍光体）を低融点ガラス等の無機バインダに混ぜたものである。この蛍光体９は、光源からの光束によって形成される光スポット（蛍光体上での光強度の最大値の１０％以上の領域を光スポットと称する）よりも大きい（後述する集光光学系の光軸と垂直な面内における面積が広い）。この蛍光体９の面積（集光光学系の光軸と垂直な平面内における面積）は、光スポットの面積の５倍以上１２０倍以下（好ましくは９倍以上７０倍以下）であることが望ましい。このような場合、光スポットは、当然蛍光体９内に形成される。図１においては、蛍光体９と後述する第１のレンズ面アレイ６１とが共役であるように見えるが、実際には図３（ｂ）に示すように、蛍光体９は第１のレンズ面アレイ６１と共役な位置から若干ずれている。このように、共役な関係を若干崩す（蛍光体と第１のレンズ面アレイとを共役な関係にしない）ことにより、蛍光体上における光強度分布（の端部）を急峻な形にせず（光スポットの輝度をステップ状にせず）内部応力を低減することができる。これは、後述する図７、９、１０においても同様である。
【００１５】
尚、本実施例における蛍光体と光スポットとは、図１で記載している通り相対的に移動することは無い。但し、この両者を所定の方向、或いは所定の面内で相対的に移動させても構わない。例えば、この蛍光体と光スポットとを、所定の周期（０．０１Ｈｚ以上１Ｈｚ以下、より好ましくは０．０１Ｈｚ以上０．１Ｈｚ以下）で周期的に移動（相対移動）させても構わない。或いは、ある一定時間ごとに移動させても良い。但し、その移動距離（往復運動の場合はその振幅、回転運動の場合はその直径）は、移動距離が最も長い方向（直線方向）において、その方向における光スポットの長さの１０倍以下（好ましくは５倍以下、更には３倍以下）であることが望ましい。光スポットの長さは、集光光学系の光軸と垂直な平面内における光スポットの長さの最大値、としても良い。
【００１６】
ここでいう光源光学系は、複数のレーザーダイオード或いはその複数のレーザーダイオードからの光を平行光束に変換する複数のコリメータレンズからの複数の光束を蛍光体に導く機能を持つ光学系である。具体的には、この光源光学系は、マイクロレンズアレイ（フライアイレンズ）６３、ダイクロイックミラー７（導光素子）、集光レンズユニット８（集光光学系）と、レーザーダイオードＬＤからの光束を受光する導光光学系を有する。ＬＤからの光束は、ＬＤ側から順に、導光光学系、マイクロレンズアレイ、ダイクロイックミラー、集光レンズユニットを介して蛍光体に導かれる。
【００１７】
ここで、導光光学系とは、互いに異なる曲率半径及び互いに異なる頂点座標（中心座標）を有する複数種の放物面を含む複数のミラーからなる放物ミラーアレイ（楕円ミラーアレイ、又は曲面ミラーアレイ）３と、平面ミラー４と、凹レンズ５のことをいう。ＬＤからの光束は、ＬＤ側から順に、放物ミラーアレイ、平面ミラー、凹レンズを介して、マイクロレンズアレイに導かれる。
【００１８】
（光源１から照明光学系までの光路）
光源１は青色光を発するＬＤ（レーザーダイオード）である。光源１から射出された光束は発散光束であり、光源１からの光束の進行方向（進行させたい方向）には光源１と同数のコリメータレンズ２が設けられている。コリメータレンズ２は光源１からの発散光束を平行光束にする正レンズである。
【００１９】
コリメータレンズ２を射出した後の複数の光束はＺ軸方向に向けて進行したのち放物ミラーアレイ３によって互いの距離を縮めながら平面ミラー４へ向かう。平面ミラー４によって反射された光束は凹レンズ５に入射する。凹レンズ５は、その焦点位置を放物ミラーアレイ３の焦点と共有しているため、凹レンズ５は平行光束として光束を射出する。
【００２０】
凹レンズ５を出射した平行光束は、マイクロレンズアレイ６３の面のうち凹レンズ５側の面である第１のレンズ面アレイ６１に入射し、複数の光束（部分光束、分割光束）に分割されて第２のレンズ面アレイ６２に入射する。つまり、第２のレンズ面アレイ６２は第１のレンズ面アレイ６１からの光束を受光する位置に設けられている。この実施例においては、第１のレンズ面アレイと第２のレンズ面アレイとは同一のレンズアレイの両端のレンズ面であるが、別々のレンズアレイ（別体のレンズアレイ）が持つレンズ面であっても構わない。
【００２１】
第２のレンズ面アレイ６２を出射した分割光束（青色光）は、青色光を反射し黄色光（赤色光及び緑色光）を透過するダイクロイックミラー７により反射されて集光レンズユニット８に向かう。このダイクロイックミラー（の表面）は、光源１からの青色光（励起光）は反射し、後述の蛍光光の波長は透過する特性の誘電体多層膜（ダイクロイック膜）がコーティングされている。また、このダイクロイックミラー７は第２のレンズ面アレイ６２からの光束を反射する必要最小限の大きさになっている。具体的には、このダイクロイックミラー７は、第２のレンズ面アレイから出射する光束の８０％以上（望ましくは９５％以上、更に望ましくは９９％以上）が入射する大きさを備えている。
【００２２】
このダイクロイックミラー７の詳細な構成について図２を用いて説明する。ダイクロイックミラー７は図２（ａ）に示す構成を採っている。具体的には、このダイクロイックミラー７は、光源１からの励起光を含む青色光を反射し、発光素子（蛍光体）から出射する緑色光および赤色光を含む蛍光光（黄色光）を透過させるダイクロイック面（導光面）７１を備えている。このダイクロイック面７１のｙ軸方向の両側（左右）には、波長に依らずに光（可視光）を透過させる透過面７２が設けられている。
【００２３】
なお、ダイクロイックミラー７は図２（ａ）に示す構成に限定されず、例えば図２（ｂ）に示すように、ダイクロイック面７１の周囲に透過面７２が設けられている構成などであってもよい。さらに、ダイクロイック面７１の少なくとも一辺が透過面７２のある一辺と重なっている構成であってもよく、透過面７２は透明な基板上の面であっても、反射防止コーティングが施された面であってもよい。
【００２４】
また、ダイクロイック面７１の法線が、ダイクロイック面７１の法線と平行で集光レンズユニット８の光軸を含む断面に含まれない場合、この断面にダイクロイック面７１を垂直に投影した面で後述の幅Ｄｄを定義すればよい。
【００２５】
ダイクロイックミラー７で反射された分割光束は正のパワーを有する集光レンズユニット８によって蛍光体９上に集光および重畳される。その結果、蛍光体９上に光源スポットが形成される。蛍光体９上に形成される光源スポットは、第１のレンズ面アレイ６１の各レンズセル（レンズ面）と共役であるため、矩形で均一な分布になっている。
【００２６】
（蛍光体９上の輝度分布について）
ここで、図３を用いて蛍光体９上の輝度分布、温度分布について説明する。
【００２７】
まず、本実施例において、光源からの光束を波長変換素子（蛍光体）に導く光源光学系は、光源からの光束を用いて波長変換素子上に形成する光強度分布が、以下のような条件を満足している。波長変換素子上で最も輝度が高い位置における輝度を１００％とするとき、この最も高い光強度の６０％以上１００％以下の輝度の領域の面積の、１０％以上１００％以下の輝度の領域の面積に対する割合が８０％以下となるような分布である。更に望ましくは、この割合は、３０％以上（更に好ましくは５０％以上）であることが望ましい。また、この割合は７０％以下（更に好ましくは６５％以下）であると尚良い。
【００２８】
尚、ここで、この最も高い光強度の６０％以上１００％以下の輝度の領域とは、勿論、輝度が最も高い光強度の６０％以上１００％以下となる領域の面積である。但し、光強度が６０％（又はそれ以上）となる領域で囲われた領域（できれば最も高い光強度の４５％以上の光強度で照明されている領域）も、６０％以上１００％以下となる領域、とみなしても構わない。
【００２９】
上述のような輝度分布を蛍光体上に形成することにより、蛍光体の温度分布が（照明領域内と照明領域外との境界部分で）急峻になり過ぎず、蛍光体内に大きな応力を発生させずに済む、という効果が得られる。また、発生する応力を小さく抑制することによって、蛍光体の長寿命化を図ることができる。
【００３０】
ここで、図８を用いて、蛍光体（波長変換素子）９上の輝度分布の具体例について記載する。
【００３１】
図８（ａ）〜（ｆ）に、蛍光体上における輝度分布（照度分布）を示す。この輝度分布は、集光光学系の光軸、或いはその近傍の軸を通る断面内での輝度分布であり、この輝度分布を前述の軸を中心に回転させることで、蛍光体上の輝度分布（二次元的な輝度分布）を表現することができる。図８（ａ）〜（ｆ）の輝度分布は、蛍光体上の最高輝度に対する６０−１００％の輝度の領域の面積が、１０−１００％の輝度の領域の面積の、（ａ）６１％、（ｂ）５７％（７７％）、（ｃ）３９％、（ｄ）７７％、（ｅ）６５％、（ｆ）５２％となっている。この図８（ｂ）の「５７％（７７％）」という記載のうち５７％という数値は、最高輝度の６０−１００％の輝度となっている領域の面積の、１０−１００％の輝度の領域の面積に対する割合を示している。また、７７％という数値は、６０−１００％の輝度の領域で囲まれた領域（６０−１００％の輝度の領域も含む）の面積の、１０−１００％の輝度の領域の面積に対する割合を示している。
【００３２】
（前述の輝度分布を形成する具体的な方法）
次に、具体的な輝度分布の形成方法について説明する。本実施例の光源光学系は、光源からの光束を複数の部分光束に分割する複数の第１のレンズ面アレイと、この複数の部分光束を波長変換素子（蛍光体）に導く、正のパワーを有する集光光学系と、を備えている。ここで、第１のレンズ面アレイと波長変換素子（蛍光体）とは共役ではなく、第１のレンズ面アレイの結像位置と波長変換素子の位置とを互いにずらしている。ここでは、第１のレンズ面アレイの結像位置と波長変換素子の位置とのずれ量（集光光学系の光軸方向）は、第１のレンズ面アレイの１つのレンズ面の焦点距離の１％以上（好ましくは５％以上、更に望ましくは１０％以上）であると良い。
【００３３】
また、第１のレンズ面アレイと集光光学系との後に、複数の第１のレンズ面に対応する複数の第２のレンズ面を有する第２のレンズ面アレイを備えており、この第２のレンズ面アレイと集光光学系とで、第１のレンズ面の像を形成している。前述の第１のレンズ面アレイの結像位置と波長変換素子の位置とのずれ量（集光光学系の光軸方向）は、第２のレンズ面アレイの１つのレンズ面と集光光学系との合成焦点距離の１％以上（好ましくは５％以上、更には１０％以上）であると良い。また、このずれ量は、第２のレンズ面アレイの１つのレンズ面と集光光学系との合成焦点距離の３０％以下（好ましくは２０％以下）であることが望ましい。
【００３４】
尚、上述の、第１のレンズ面アレイのボケた像を波長変換素子上に形成する方法とは異なる方法でも構わない。その変形例の１つとしては、ＬＤ１つ１つに対応する第１のレンズ面及び第２のレンズ面を有する第１、２のレンズ面アレイを設け、ＬＤ１つ１つで発生する輝度分布（ほぼガウス分布）をそのまま波長変換素子上で重ねても構わない。また、このような構成を採りつつ、更に前述のように第１のレンズ面のボケた像を波長変換素子上に形成しても良い。上述の変形例は、ＬＤ１つ１つに対して、１つの第１のレンズ面及び１つの第２のレンズ面を配置する例であるが、ＬＤ１つ１つに対して、複数個（整数）の第１、２のレンズ面を配置しても構わない。
【００３５】
図３を用いて、前述の第１のレンズ面アレイのボケた像を波長変換素子上に形成する例の説明を行う。
【００３６】
まず、図１と図３（ａ）及び（ｂ）の対応関係について説明する。図１の第１のレンズ面アレイ６１、第２のレンズ面アレイ６２、集光レンズユニット８、蛍光体９は、図３の６１’、６２’、８’、９’にそれぞれ対応している。
【００３７】
蛍光体９’は第２のレンズ面アレイ６２’と集光レンズユニット８’によって第１のレンズアレイ６１’の各レンズセルと略共役の位置に配置されており、第１のレンズ面アレイ６１’と蛍光体９’面は結像関係にある。したがって、蛍光体９’上には第１のレンズ面アレイ６１’の各レンズセル上に形成されている光分布に対応した光源像が形成される。また、その像の大きさはレンズセルのピッチ（レンズセルの幅）と結像系の倍率によって決まる。さらに、各レンズセル上に形成されている光源像は集光レンズユニット８‘を介して蛍光体９’上で重畳するように配置されている。この図３（ａ）は、第１のレンズ面アレイと波長変換素子とが共役の場合である。この図３（ａ）の場合は波長変換素子をケーラー照明することになるため、波長変換素子上の所定の領域内（有効領域、有効照明領域）を略均一な照度（輝度）で照明することができる。この図３（ａ）の場合においては、図３左側に示すように第１のレンズ面アレイ６１’に入射する光束が不均一な輝度分布を持っていたとしても、上記理由から各レンズセル上に形成される光分布はレンズセル数だけ平均化される。このため、図３右側に示すように蛍光体９’面上では均一な分布の光源像を形成することができる。
【００３８】
但し、本実施例においてはこの図３（ａ）の構成とは異なる構成を採っている。すなわち、図３（ｂ）に示すように、第１のレンズ面アレイと波長変換素子とを共役な関係から敢えてずらしている。この構成を採ることによって、（最も輝度が高い領域から）外側に向かうに連れて輝度が下がるような分布を形成し、波長変換素子の温度分布を、図３（ａ）の場合と比較してなだらかな分布にしている。このように温度分布をなだらかにすることで、波長変換素子の内部応力を図３（ａ）の場合と比較して小さくすることができるため、波長変換素子の変形量を低減したり、亀裂の発生を防止したりすることが可能となる。
【００３９】
この第１のレンズ面アレイの結像位置（共役な位置）と波長変換素子の位置とのずらし方（ずらし量）を、前述のような値とすることによって、輝度分布内の輝度の下がり方を設定することができる。この輝度分布の下がり方（外側に向かうに連れて輝度が下がる際の下がり方、或いは下がり量）の最も好ましい形は、蛍光体の材質、面積、厚み等によって異なるが、前述の範囲内であれば本実施例の効果を得ることは可能である。
【００４０】
（小型化を実現する構成）
蛍光体９に入射した光源１からの青色光は、赤色光および緑色光のスペクトルを主とする蛍光光（変換光）に変換される。蛍光体９は、高反射率のアルミ基板上に蛍光体層を塗布して形成されており、青色光から蛍光変換された蛍光光はアルミ基板で集光レンズユニット８へ向かって反射される。また、一部の青色光は蛍光変換されることなく同じ波長のままアルミ基板で反射される。
【００４１】
こうして赤色光および緑色光を含む蛍光光と非変換の青色光で構成される白色光束が蛍光体９から射出され、集光レンズユニット８によって集光および平行光化され不図示の照明光学系に向かう。
【００４２】
このとき、集光レンズユニット８からの白色光束の光束径に対して、ダイクロイックミラー７の幅、より詳細にはダイクロイック面７１の幅が充分に大きい場合を考える。この場合、ダイクロイック面７１を通る白色光束のうち青色光はダイクロイック面７１で反射されて光源１側に戻ってしまい、照明光学系へ向かうことができない。
【００４３】
つまり、ダイクロイック面７１の幅が大きいほど青色光を減損することになってしまう。このような青色光の減損に対する解決手段として特許文献１に記載のように、励起光を発する光源１とは別に青色光源を備えた構成が考えられるが、この構成では装置全体が大型化してしまう。そこで、本実施例においては減損される青色光を極力減じるために、ダイクロイックミラー７の面積をできるだけ小さくすることを考えた。
【００４４】
具体的には、本実施例においてはダイクロイック面７１の幅Ｄｄと集光レンズユニット８の幅Ｄｃを次の条件を満たすように設定している。すなわち、ダイクロイックミラー７の法線と平行で集光レンズユニット８の光軸を含む断面（ＸＺ断面）での集光レンズユニット８の光軸と直交する方向（Ｚ軸方向）において、ダイクロイック面７１の幅Ｄｄは集光レンズユニット８の幅Ｄｃよりも狭い。
【００４５】
このような構成では、集光レンズユニット８からの白色光束のうちダイクロイック面７１を通る光束に含まれる青色光は光源１側に戻ってしまうが、ダイクロイックミラー７を通らない光束はそのまま照明光学系に導かれる。つまり、励起光用の光源とは別に青色光源とその周辺の光学系を設けなくても白色光束を照明光学系に導くことが可能となり、小型な光源光学系を実現することができる。
【００４６】
なお、ダイクロイックミラー７が図２（ａ）に示した構成である場合には、ダイクロイックミラー７のＺ軸方向の幅をＤｄと定義すればよい。一方、図２（ｂ）に示した構成のように、ＸＺ断面にダイクロイック面７１以外にも透過面７２が存在する場合には、ダイクロイック面７１のＺ軸方向の幅をＤｄとしてもよい。
【００４７】
（光束径の定義）
幅Ｄｄを幅Ｄｃよりも狭くすることは、光束径を用いてマイクロレンズアレイ６３から射出する励起光の光束径ＤＬＤを集光レンズユニット８からの白色光束の光束径Ｄｐｈｏｓよりも小さくすることと言い換えることができる。ここでいう光束径の定義について図４を用いて説明する。
【００４８】
図４（ａ）は第２のレンズ面アレイ６２上に形成される励起光の光源像の輝度断面図を示している。前述のとおり、第２のレンズアレイ６２面上には第１のレンズアレイ６１面で分割された光束が集光され、集光点ではＬＤの発光点の像が形成される。
【００４９】
したがって、図４（ａ）に示す輝度断面図は、第１のレンズ面アレイ６１のレンズセルピッチに対応した数の輝度ピークが並んだ離散的な分布となっている。この場合、マイクロレンズアレイ６３からの励起光の光束径ＤＬＤは、輝度断面の包絡線Ｅにおける半値半幅、すなわち最大輝度Ｉの１／２の輝度が得られる幅とする。
【００５０】
一方、図４（ｂ）には集光レンズユニット８からの白色光束の光分布の輝度断面図を示す。蛍光体９からの蛍光光は全方位に発光する一方、蛍光体９の表面から面発光をするので完全拡散面光源ととらえることもできる。したがって、蛍光光束の輝度断面は光軸近傍で一番輝度が強く、集光レンズユニット８による蛍光光の取り込み角度の余弦に対応して光軸から離れるに従って輝度が弱くなっているが、集光レンズの有効径で決まる取り込み角の限界点で輝度が０になっている。この場合、蛍光光の光束径つまり集光レンズユニット８からの白色光束の光束径Ｄｐｈｏｓは輝度が０になる位置の幅とする。
【００５１】
以上より、本実施例の構成によって蛍光体の光変換効率の低下を抑制しながら光源装置の小型化を達成することができる。
【００５２】
（励起光の光束径を小さくすることによる課題）
ここで、前述のダイクロイックミラー７が大きいことによる青色光の減損を抑制するために、ダイクロイックミラー７の面積を更に小さくすることを考える。ダイクロイックミラーの面積を更に小さくする場合には第２のレンズ面アレイ６２から射出される励起光の光束径を更に小さくする必要がある。しかしながら、励起光の光束径を小さくすると次のような課題が生じる。以下、図５および図６を用いてその課題について説明する。
【００５３】
図５は本実施例における第１および第２のレンズ面アレイ６１、６２を拡大して図示したものである。図５（ａ）のように第１のレンズ面アレイ６１によって分割された平行光束（部分光束、分割光束）は、第１のレンズ面アレイ６１の各レンズセルによってそれぞれ対応した第２のレンズ面アレイ６２の各レンズセルに集光する。この結果、第２のレンズ面アレイ６２の各レンズセルには、光源１の光源像が形成される。
【００５４】
仮に、この光源像の大きさがレンズセルのピッチよりも大きくなると、対応したレンズセルに対して隣接したレンズセルに光束の一部が入射してしまう。このような成分は蛍光体９上で所定の光源スポットの位置に対して隣接した位置に結像されてしまい、後段に配置される照明光学系中の光学素子でけられてしまって有効に利用されない光、つまり損失となる。その結果、光利用効率を落とすことになる。
【００５５】
一方、図５（ｂ）には前述のようにダイクロイックミラー７の面積を小さくするために、励起光の光束径をより小さくした場合を示す。図５（ｂ）では第２のレンズ面アレイ６２の各レンズセルに形成される光源像がレンズセルの大きさを超えてしまい、上記のような対応するレンズセルに対して隣接したレンズセルに光束が入射することによって光利用効率がより低下してしまう。これは第１のレンズ面アレイ６１に入射する励起光の光束径を小さくすることで、励起光束の平行光束としての角度ばらつきが大きくなっているためである。
【００５６】
（励起光の光束径の角度ばらつき）
図６を用いてその原理を説明する。図６は光源１から凹レンズ５までの各光学素子の光学的関係を簡略化して示した図である。１’は光源１、２’および３’は正のパワーを持つ素子でそれぞれコリメータレンズ２と放物ミラーアレイ３の各ミラーに対応している。５’は負のパワーを持つ素子で凹レンズ５を示している。
【００５７】
前述のように放物ミラーアレイ３と凹レンズ５はその焦点を共有しており、所謂アフォーカル系を形成している。従って、両者に対応する素子３’と５’もアフォーカル系Ａを形成する。光源１’を射出した光はコリメータレンズ２’によって平行光化され、アフォーカル系Ａに入射し、所定の倍率で光束が圧縮される。
【００５８】
このとき、光源１’の発光点が無限に小さければコリメートレンズ２’によって完全な平行光になるが、ＬＤの発光点は有限の大きさを持っているので、その大きさに対応した角度ばらつきθ１を有する平行光束となる。なお、角度ばらつきθ１はコリメータレンズ２’の焦点距離ｆｃｏｌｉと発光点の大きさＬを用いてθ＝ａｔａｎ（Ｌ／ｆｃｏｌｉ）で表わされる。
【００５９】
このようにアフォーカル系Ａに入射する平行光束は発光点の有限の大きさに対応した角度ばらつきθ１を有するが、平行光がアフォーカル系Ａに入射して光束径が変化する際に角度ばらつきがθ２へ変化する。今、アフォーカル系Ａの入射前後の平行光束の径をそれぞれ、Ｄ１、Ｄ２とすると、角倍率の関係より以下の式が成り立つ。
【００６０】
【数１】
2017215496.tif 000003
【００６１】
ここでγは角倍率である。前述の第１のレンズ面アレイ６１に入射する励起光の光束径をより小さくすることは、アフォーカル系Ａから射出する光束径Ｄ２をより小さくすることに等しい。光束径Ｄ２を小さくすると角倍率γが大きくなり、これにしたがい左辺の項の数値が大きくなるのでθ２が大きくなる。
【００６２】
したがって、アフォーカル系から出射する光束の径を小さくすると角度バラツキθ２が大きくなり、その後段では第１のレンズ面アレイ６１へ入射する平行光束の角度ばらつきθ２も大きくなる。すると、図５（ｂ）に示したように第２のレンズ面アレイ６２上の光源像の大きさが大きくなる。つまり、青色光の減損を抑制する目的でダイクロイックミラー７の面積を小さくして励起光の光束径を小さくしすぎると、第２のレンズ面アレイ６２に形成される光源像の大きさがレンズセルのピッチよりも大きくなって光利用効率が低下するため好ましくない。
【００６３】
ここで、蛍光体９上に形成される光源スポットを小さくする場合を考える。これは、蛍光体９と結像関係にある第１のレンズ面アレイ６１のレンズセルのピッチを小さくすることを意味する。第１のレンズ面アレイ６１のレンズセルのピッチを小さくするのに合わせて第２のレンズ面アレイ６２のレンズセルのピッチも小さくすると、レンズセルの大きさに対する光源像の大きさが相対的に大きくなる。その結果、上記と同様に光利用効率が低下してしまうため好ましくない。
【００６４】
（より好ましい形態）
このような損失を抑制しつつ本実施例の構成をとるためには、励起光路の光束径と蛍光体９上の光源スポットの大きさが下記の条件であることが望ましい。なお、下記の説明では集光レンズユニット８の焦点距離ｆｃを光束径で除した値をＦナンバーとし、光束径をＦナンバーで代用して説明しているが、その理由は次のとおりである。
【００６５】
本実施例における集光レンズユニット８の焦点距離はｆｃ＝１５ｍｍであるが、集光レンズユニット８の焦点距離は設計自由度がある。このため、照明光学系中の各光学素子の有効径が大きい場合はその分焦点距離を比例倍して、取り込み角度を維持したまま蛍光光の光束径を大きくしてもよい。この場合、集光レンズの焦点距離に比例して励起光の光束径も変化してしまうが、各光束径を集光レンズの焦点距離で除することにより、光束径を一般化できるので計算上都合が良い。
【００６６】
本実施例における集光レンズユニット８からの白色光束の光束径をＤｐｈｏｓ＝３０ｍｍとすると、ｆｃ＝１５ｍｍであるためにＦナンバーは、
【００６７】
【数２】
2017215496.tif 000004
【００６８】
である。一方、マイクロレンズアレイ６３からの励起光の光束径をＤＬＤ＝１５ｍｍするとＦナンバーは、
【００６９】
【数３】
2017215496.tif 000005
【００７０】
である。
【００７１】
つまり、本実施例においては、図７（ａ）に示すように蛍光光が集光レンズユニット８によって集光される光路である蛍光光路のＦナンバーに対して、励起光が蛍光体９に集光される光路である励起光路のＦナンバーは大きい。
【００７２】
仮に、蛍光光路のＦナンバーと励起光路のＦナンバーがほぼ等しい場合を考える。この場合は図７（ｂ）に示すように、集光レンズユニット８からの非変換光の全てあるいはほとんどがダイクロイックミラー７によって反射されて照明光学系に導かれずに損失が増大するため好ましくない。したがって、図７（ａ）に示す関係であることが好ましい。
【００７３】
より好ましくは、条件式（２）で定義される蛍光光路のＦナンバーをＦｐｈｏｓとし、条件式（３）で定義される蛍光光路のＦナンバーをＦＬＤとするとき、光源光学系は、
【００７４】
【数４】
2017215496.tif 000006
【００７５】
を満足するとよい。
【００７６】
条件式（４）の下限値を逸脱することは励起光路のＦナンバーＦＬＤを大きくする、つまり励起光の光束径ＤＬＤを小さくすることを意味する。励起光の光束径ＤＬＤを小さくしすぎると、前述の通り第２のレンズ面アレイ６２に形成される光源像の大きさがレンズセルのピッチよりも大きくなって光利用効率が低下するため好ましくない。
【００７７】
一方、条件式（４）の上限値を逸脱することは、蛍光光路のＦナンバーＦｐｈｏｓと励起光路のＦナンバーＦＬＤが近くなること意味し、この場合は図７（ｂ）に示したように損失が増大するために好ましくない。
【００７８】
ここで、条件式（４）の下限値が０．４３であると尚好ましい。また、条件式（４）の上限値が０．５５であると尚好ましい。
【００７９】
また、本実施例においては８個のＬＤをユニット化したものを計４ユニット、つまり計３２個のＬＤを光源として用いており、蛍光体９上に形成される光源スポットは１辺約１．０〜１．５ｍｍの略正方形形状である。これは、前述の通り蛍光体９上の光源スポットの光密度が高くなると、輝度飽和現象によって光変換効率が下がる、あるいは蛍光体９がより早く劣化してしまうためである。
【００８０】
仮に蛍光体９上の光源像を小さくする、つまりレンズアレイのピッチをさらに小さくすると、レンズセルに形成される光源像の大きさは変わらずに、対応するレンズセルの外形が相対的に小さくなるので前述の光利用効率の低下が生じるために好ましくない。
【００８１】
上記の関係を考慮して励起光路のＦナンバーをＦＬＤ、光源スポットの１辺の長さをｄｐｈｏｓとすると、光源光学系は下記の条件式を満足することが好ましい。
【００８２】
【数５】
2017215496.tif 000007
【００８３】
上記の条件式（５）は、本実施例のように励起光路のＦナンバーＦＬＤが１．０の場合には光源スポットの面積が１．０ｍｍ２よりも大きい方が好ましいことを意味している。これは、前述の通り蛍光体９上の光源スポットの光密度の増大によって光変換効率の低下といった問題が生じるためである。
【００８４】
さらに条件式（５）は、光源スポットの面積が１．０ｍｍ２よりも大きい場合には、励起光路のＦナンバーＦＬＤを大きくする、つまり励起光の光束径ＤＬＤを小さくすることを意味する。これにより、ダイクロイックミラー７の面積を小さくして集光レンズユニット８からの非変換光をより多く照明光学系に導くことが可能となる。
【００８５】
ここで、条件式（５）の下限値は１．５ｍｍ２とする（或いは０．６ｍｍ２に緩和しても構わない）ことが望ましく、また上限値を５０．０ｍｍ２（２０．０ｍｍ２）とすることが望ましい。
【００８６】
ただし、励起光の光束径ＤＬＤを小さくしすぎる、つまり励起光路のＦナンバーＦＬＤを大きくしすぎると、条件式（５）の下限値を逸脱してしまう。励起光の光束径ＤＬＤを小さくしすぎると前述の通り第２のレンズ面アレイ６２に形成される光源像の大きさがレンズセルのピッチよりも大きくなって光利用効率が低下するため好ましくない。
【００８７】
ただし、光源スポットの面積が大きすぎると点光源としての性能が低下してしまう。さらに励起光路のＦナンバーＦＬＤが小さすぎる、つまり励起光の光束径ＤＬＤが大きすぎるとダイクロイックミラー７が大型化してしまい、集光レンズユニット８からの非変換光を照明光学系に導くことが困難になってしまう。このため、光源光学系は、
【００８８】
【数６】
2017215496.tif 000008
【００８９】
を満足するとより好ましい。
【００９０】
（条件式の変形）
ここで条件式（５）の右辺をさらに単純化させる。光源スポットの面積はレンズセルのセルピッチｄＬＡ、レンズセルの焦点距離ｆＬＡ及び集光レンズユニット８の焦点距離ｆ-ｃを用いて表わすことができ、条件式（５）の右辺は下記のように変換できる。
【００９１】
【数７】
2017215496.tif 000009
【００９２】
ここで、式（６）の右辺の励起光の光束径ＤＬＤ、レンズセルのピッチｄＬＡの二乗の項を式（７）のように励起光束の断面積ＳＬＤ、レンズセルの面積ＳＬＡとして置き換える。
【００９３】
【数８】
2017215496.tif 000010
【００９４】
さらに、励起光束の断面積ＳＬＡはレンズセルの総セル数Ｎとレンズセルの面積ＳＬＡを用いて式（８）のように書き直すことができる。
【００９５】
【数９】
2017215496.tif 000011
【００９６】
最終的に条件式（５）を下記の条件式（９）に示すようにレンズセルのパラメータのみに単純化できる。
【００９７】
【数１０】
2017215496.tif 000012
【００９８】
本実施例では、条件式（５）あるいは（９）を満たすことで光源スポットの大きさと励起光のＦナンバーＦＬＤ、つまり励起光の光束径ＤＬＤとを適切な関係に設定している。これにより、蛍光体９上の光源スポットの光密度による影響を抑制しつつ、ダイクロイックミラー７の大型化を抑制することで、集光レンズユニット８からの非変換光をより多く照明光学系に導くことが可能となる。さらに、励起光の光束径ＤＬＤを小さくしすぎることによって第２レンズ面アレイ６３上の光源像が大きくなって光利用効率が低下することを抑制することが可能となる。
【００９９】
もちろん、前述の条件式（５）と同様に光源光学系は、
【０１００】
【数１１】
2017215496.tif 000013
【０１０１】
を満足するとより好ましい。
【０１０２】
（ＬＤの個数が少ない場合）
前述の通り本実施例では計３２個のＬＤを用いているが、もちろんＬＤはもっと少なくても良い。８個のＬＤをユニット化したものを１ユニットのみ、つまりＬＤを計８個用いる場合には、式（７）および（８）中のＳＬＤの項を１／４に減じることができるので条件式（９）の下限値を以下のように緩和できる。
【０１０３】
【数１２】
2017215496.tif 000014
【０１０４】
つまり、ＬＤの個数をより多くして明るくする場合は式（９）を満たすことが望ましいが、ＬＤの個数が少ない場合には少なくとも式（１０）を満たせばよい。これによってレンズセルの大きさに対して光源像が大きくなることによる損失の発生を抑制しつつ、波長変換素子の光変換効率の低下を抑制することが可能であるとともに、より小型な光源光学系を実現することが可能となる。
【０１０５】
さらに、前述の条件式（５ａ）と同様に光源スポットが大きくなることによる影響を抑制するために、
【０１０６】
【数１３】
2017215496.tif 000015
【０１０７】
を満足すると好ましく、さらに、
【０１０８】
【数１４】
2017215496.tif 000016
【０１０９】
を満足するとより好ましい。もちろん、条件式（５ａ）と同様に、条件式（１０）の上限値を４．０としてもよい。
【０１１０】
なお、本発明の数値実施例は下記の通りである。
【０１１１】
【表１】
2017215496.tif 000017
【０１１２】
〔第２実施例〕
図８は本発明の第２実施例としての光源装置の構成を示す図である。前述の第１実施例と本実施例との違いは、ダイクロイックミラー７の構成と、ダイクロイックミラー７に対する集光レンズユニット８および蛍光体９の位置関係である。
【０１１３】
前述の第１実施例におけるダイクロイックミラー７は、光源１からの励起光を反射して蛍光体９からの蛍光光を透過させる特性のダイクロイック面７１と、波長によらずに光を透過させる透過面７２とを備えた構成だった。
【０１１４】
一方、本実施例におけるダイクロイックミラー７は、光源１からの励起光を透過させて蛍光体９からの蛍光光を反射する特性のダイクロイック面７３と、波長によらずに光を反射する反射面７４を備えた構成である。このような構成のダイクロイックミラー７を用いる場合には、光源１からの光束を進む方向にダイクロイックミラー７、集光レンズユニット８、蛍光体９が並んでいる必要がある。
【０１１５】
このような構成であっても、励起光用の光源とは別に青色光を設けなくても白色光束を照明光学系に導くことが可能となり、小型な光源光学系を実現することができる。さらに、マイクロレンズアレイ６３によって蛍光体９の光変換効率の低下を抑制することができる。
【０１１６】
〔第３実施例〕
図９は第１実施例で示した光源光学系および光源装置を搭載したプロジェクター（投射型表示装置）の構成を示す図である。
【０１１７】
１００は第１実施例で示した光源装置である。もちろん、第２実施例で示した光源装置を図９中の光源装置１００として用いても良い。
【０１１８】
２００は光源装置１００からの光束を用いて後述の液晶パネル２０（光変調素子）を照明する照明光学系である。照明光学系２００は、第３のフライアイレンズ１３ａ、第４のフライアイレンズ１３ｂ、偏光変換素子１４、コンデンサーレンズ１５を備えている。
【０１１９】
光源装置１００からの光束は第３のフライアイレンズ１３ａによって複数の光束に分割して第４のフライアイレンズ１３ｂと偏光変換素子１４との間に光源像を形成する。偏光変換素子１４は入射した光束の偏光方向を所定の方向に揃えるように構成されており、偏光変換素子１４からの光束はコンデンサーレンズ１５によって色分離合成部３００に導かれる。
【０１２０】
色分離合成部３００は、偏光板１６、ダイクロイックミラー１７、波長選択性位相差板１８、赤色用液晶パネル２０ｒ、緑色用液晶パネル２０ｇ、青色用液晶パネル２０ｂを備えている。このように、本実施例においては、液晶パネル（光変調素子）を複数備えている場合を示しているが、液晶パネルを１つとし、色分離合成部が無い構成（時分割で各色を表示する構成）であっても構わない。尚、この実施例においては各液晶パネル２０ｒ、２０ｇ、２０ｂをまとめて液晶パネル２０とする。さらに、赤色用λ／４板１９ｒ、緑色用λ／４板１９ｇ、青色用λ／４板１９ｂ、第１の偏光ビームスプリッター２１ａ、第２の偏光ビームスプリッター２１ｂ、合成プリズム２２を備えている。赤色用λ／４板１９ｒ、緑色用λ／４板１９ｇ、青色用λ／４板１９ｂをまとめてλ／４板１９とする。また、色分離合成部３００のうち液晶パネル２０を除く部分を色分離合成系とする。
【０１２１】
偏光板１６は偏光変換素子１４によって整えられた偏光方向の光のみを透過する偏光板であり、ダイクロイックミラー１７によって偏光板１６からの光のうち青色光および赤色光は第２の偏光ビームスプリッター２１ｂの方向に導かれる。一方、緑色光は第１の偏光ビームスプリッター２１ａの方向に導かれる。
【０１２２】
第１の偏光ビームスプリッター２１ａおよび第２の偏光ビームスプリッター２１ｂは偏光方向に応じてダイクロイックミラー１７からの光を液晶パネル２０に導くとともに、液晶パネル２０からの光を合成プリズム２２へ導くように構成されている。また、λ／４板１９は、液晶パネル２０での反射による往復においてλ／２の位相差を与えることで、検光効果を高める作用を有する。
【０１２３】
合成プリズム２２は、第２の偏光ビームスプリッター２１ａからの青色光および赤色光と、第２の偏光ビームスプリッター２１ｂからの緑色光を合成して投射光学系２３へ導く。
【０１２４】
このような構成により、図８に示すプロジェクターはカラー画像をスクリーン等の被投射面に投射することが可能となる。
【０１２５】
なお、光源装置１００、照明光学系２００、色分離合成部３００、投射光学系２３の互いの位置関係は図８に示す関係でなくてもよい。具体的には、図８においては集光レンズユニット８の光軸、コンデンサーレンズ１５の光軸、液晶パネル２０の面法線、投射レンズ２３の光軸の全てが同一の面内に存在している。しかしながら、必ずしも各軸は同一の面内に存在している必要はなく、ミラーなどを用いて軸によって存在する面が異なるように適宜変更してもよい。
【０１２６】
以上、本発明の好ましい実施例について説明したが、本発明はこれらの実施例に限定されないことはいうまでもなく、その要旨の範囲内で種々の変形及び変更が可能である。
【０１２７】
（他の実施形態）
前述の各実施例においては、マイクロレンズアレイ６３の凹レンズ５側の面が第１のレンズ面アレイ６１であり、ダイクロイックミラー７側の面が第２のレンズ面アレイ６２である構成を例示した。このような構成は、両レンズ面アレイの相対的なズレを抑制することができるために好ましい。
【０１２８】
しかしながら、本発明は上記の構成に限定されず、マイクロレンズアレイ６３の代わりに、凹レンズ５側から順に第１のレンズ面アレイ６１を備える第１のフライアイレンズと、第２のレンズ面アレイ６２を備える第２のフライアイレンズを設けても良い。この場合は硝子成型時の体積を減じることができるので、成型時間を短縮できる。
【０１２９】
また、前述の各実施例においては詳細に述べていないが、光源１とコリメータレンズ２は別々の保持部材に保持されていても、同一の保持部材に保持されていてもよい。例えば、８個の光源１と８枚のコリメータレンズ２が一体となったＬＤバンクを用いても良い。
【０１３０】
また、前述の各実施例で示した平面ミラー４の代わりにプリズムを用いて放物面ミラーアレイ３からの光束を凹レンズ５に導いても良い。
【０１３１】
また、前述の各実施例では第１のレンズ面アレイ６１によって第２のレンズ面アレイ６２上に光源像が形成される構成を例示したが、光源像が第２のレンズ面アレイ６２の近傍に形成されればよい。言い換えれば、光源像は第２のレンズ面アレイ６２と蛍光体９との間あるいは、第２のレンズ面アレイ６２とダイクロイックミラー７との間に形成されればよい。
【０１３２】
また、前述の各実施例においては高反射率のアルミ基板上に蛍光体層を塗布した蛍光体９の構成を例示したが、より具体的には円形のアルミ基板上に周方向に連続して蛍光体層を塗布したホイールをモーターによって回転させる構成であってもよい。このような構成によって蛍光体層上の光源１からのレーザー光が集光する位置が変わり、蛍光体層の劣化を抑制することが可能となる。
【０１３３】
また、前述の各実施例では、導光面としてダイクロイック面７１を設けた構成を例示したが、本発明はこのような構成に限定されるものではない。複数の光源１からの光束を所定の偏光方向に揃え、ダイクロイック面７１の代わりに導光面として偏光分離面を設けた構成等であってもよい。蛍光体９からの光束は偏光方向が乱れた状態で出射するため、偏光分離面では光源１からの光束と波長が同じ光束も照明光学系に導くことが可能となる。
【符号の説明】
【０１３４】
１  光源
８  集光レンズユニット（集光光学系）
９  蛍光体（波長変換素子）
６１  第１のレンズ面アレイ
６２  第２のレンズ面アレイ
７１  ダイクロイック面（導光面）
【図１】
2017215496.tif 000020
【図２】
2017215496.tif 000021
【図３】
2017215496.tif 000022
【図４】
2017215496.tif 000023
【図５】
2017215496.tif 000024
【図６】
2017215496.tif 000025
【図７】
2017215496.tif 000026
【図８】
2017215496.tif 000027
【図９】
2017215496.tif 000028
【図１０】
2017215496.tif 000029